【手続補正書】
【提出日】平成21年11月2日(2009.11.2)
【手続補正１】
【補正対象書類名】特許請求の範囲
【補正対象項目名】全文
【補正方法】変更
【補正の内容】
【特許請求の範囲】
【請求項１】
複数の機器と通信可能な情報処理装置であって、
ある期間に特定の機器を使用する予約に関する予約情報を記憶する記憶手段と、
前記予約情報を参照して、前記複数の機器のうち特定の期間に予約が無いものの数を検出する検出手段と、
前記検出手段により検出される数が所定数である場合、前記複数の機器のうち前記特定の期間に予約されている少なくとも１つの機器に対してなされた当該予約を解除可能にするように制御する制御手段とを備えたことを特徴とする情報処理装置。
【請求項２】
前記制御手段は、前記検出手段により検出される数が所定数である場合、前記複数の機器のうち前記特定の期間に予約されている少なくとも１つの機器に対して、当該機器に対してなされた予約を解除可能にするための指示を発行することによって、当該機器の予約を解除可能にするよう制御することを特徴とする請求項１に記載の情報処理装置。
【請求項３】
前記複数の機器はそれぞれ印刷機能を備えた印刷装置であることを特徴とする請求項１又は２に記載の情報処理装置。
【請求項４】
他の機器と通信可能な情報処理装置であって、
ある期間に特定の機器を使用する予約に関する予約情報を、前記情報処理装置及び前記他の機器それぞれについて記憶する記憶手段と、
前記予約情報を参照して、前記情報処理装置及び前記他の機器のうち特定の期間に予約が無いものの数を検出する検出手段と、
前記検出手段により検出される数が所定数である場合、前記情報処理装置及び前記他の機器のうち前記特定の期間に予約されている少なくとも１つの機器に対してなされた当該予約を解除可能にするように制御する制御手段とを備えたことを特徴とする情報処理装置。
【請求項５】
前記制御手段は、前記検出手段により検出される数が所定数である場合、前記情報処理装置及び前記他の機器のうち前記特定の期間に予約されている少なくとも１つの機器に対して、当該予約を解除可能にするための指示を発行することによって、当該予約を解除可能にするよう制御することを特徴とする請求項４に記載の情報処理装置。
【請求項６】
前記他の機器及び前記情報処理装置は、それぞれ印刷機能を備えることを特徴とする請求項４又は５に記載の情報処理装置。
【請求項７】
前記予約情報は、少なくとも予約日時、機器名、及びユーザー名を含むことを特徴とする請求項１乃至６のいずれか１項に記載の情報処理装置。
【請求項８】
前記機器に対して行う予約は、予約を行ったユーザーが当該予約された期間に当該機器を優先して使用するための予約であることを特徴とする請求項１乃至７のいずれか１項に記載の情報処理装置。
【請求項９】
複数の機器と通信可能な情報処理装置の制御方法であって、
ある期間に特定の機器を使用する予約に関する予約情報を記憶手段に記憶する記憶工程と、
前記記憶手段に記憶された予約情報を参照して、前記複数の機器のうち特定の期間に予約が無いものの数を検出する検出工程と、
前記検出工程にて検出される数が所定数である場合、前記複数の機器のうち前記特定の期間に予約されている少なくとも１つの機器に対してなされた当該予約を解除可能にするように制御する制御工程とを備えたことを特徴とする情報処理装置の制御方法。
【請求項１０】
他の機器と通信可能な情報処理装置の制御方法であって、
ある期間に特定の機器を使用する予約に関する予約情報を、前記情報処理装置及び前記他の機器それぞれについて記憶手段に記憶する記憶工程と、
前記記憶手段に記憶された予約情報を参照して、前記情報処理装置及び前記他の機器のうち特定の期間に予約が無いものの数を検出する検出工程と、
前記検出工程にて検出される数が所定数である場合、前記情報処理装置及び前記他の機器のうち前記特定の期間に予約されている少なくとも１つの機器に対してなされた当該予約を解除可能にするように制御する制御手段とを備えたことを特徴とする情報処理装置の制御方法。
【請求項１１】
請求項１０又は１１に記載の制御方法をコンピュータに実行させるためのプログラム。
【手続補正２】
【補正対象書類名】明細書
【補正対象項目名】発明の名称
【補正方法】変更
【補正の内容】
【発明の名称】情報処理装置及びその制御方法、並びにプログラム
【手続補正３】
【補正対象書類名】明細書
【補正対象項目名】０００１
【補正方法】変更
【補正の内容】
【０００１】
本発明は、ネットワークを介して互いに接続されたデジタル複合機やプリンタ等の機器を占有して利用する予約サービスを提供する情報処理装置及びその制御方法、並びにプログラムに関する。
【手続補正４】
【補正対象書類名】明細書
【補正対象項目名】０００５
【補正方法】変更
【補正の内容】
【０００５】
本発明は、複数の機器が特定の期間に予約された状況でも、予約がされたものの実際には使用されていない機器の予約を解除することができる情報処理装置及びその制御方法、並びにプログラムを提供することを目的とする。
【手続補正５】
【補正対象書類名】明細書
【補正対象項目名】０００６
【補正方法】変更
【補正の内容】
【０００６】
上記目的を達成するために、請求項１記載の情報処理装置は、複数の機器と通信可能な情報処理装置であって、ある期間に特定の機器を使用する予約に関する予約情報を記憶する記憶手段と、前記予約情報を参照して、前記複数の機器のうち特定の期間に予約が無いものの数を検出する検出手段と、前記検出手段により検出される数が所定数である場合、前記複数の機器のうち前記特定の期間に予約されている少なくとも１つの機器に対してなされた当該予約を解除可能にするように制御する制御手段とを備えたことを特徴とする。
【手続補正６】
【補正対象書類名】明細書
【補正対象項目名】０００７
【補正方法】変更
【補正の内容】
【０００７】
上記目的を達成するために、請求項４記載の情報処理装置は、他の機器と通信可能な情報処理装置であって、ある期間に特定の機器を使用する予約に関する予約情報を、前記情報処理装置及び前記他の機器それぞれについて記憶する記憶手段と、前記予約情報を参照して、前記情報処理装置及び前記他の機器のうち特定の期間に予約が無いものの数を検出する検出手段と、前記検出手段により検出される数が所定数である場合、前記情報処理装置及び前記他の機器のうち前記特定の期間に予約されている少なくとも１つの機器に対してなされた当該予約を解除可能にするように制御する制御手段とを備えたことを特徴とする。
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】変更
【補正の内容】
【００１０】
上記目的を達成するために、請求項９記載の情報処理装置の制御方法は、複数の機器と通信可能な情報処理装置の制御方法であって、ある期間に特定の機器を使用する予約に関する予約情報を記憶手段に記憶する記憶工程と、前記記憶手段に記憶された予約情報を参照して、前記複数の機器のうち特定の期間に予約が無いものの数を検出する検出工程と、前記検出工程にて検出される数が所定数である場合、前記複数の機器のうち前記特定の期間に予約されている少なくとも１つの機器に対してなされた当該予約を解除可能にするように制御する制御工程とを備えたことを特徴とする。
【手続補正１０】
【補正対象書類名】明細書
【補正対象項目名】００１１
【補正方法】変更
【補正の内容】
【００１１】
上記目的を達成するために、請求項１０記載の情報処理装置の制御方法は、他の機器と通信可能な情報処理装置の制御方法であって、ある期間に特定の機器を使用する予約に関する予約情報を、前記情報処理装置及び前記他の機器それぞれについて記憶手段に記憶する記憶工程と、前記記憶手段に記憶された予約情報を参照して、前記情報処理装置及び前記他の機器のうち特定の期間に予約が無いものの数を検出する検出工程と、前記検出工程にて検出される数が所定数である場合、前記情報処理装置及び前記他の機器のうち前記特定の期間に予約されている少なくとも１つの機器に対してなされた当該予約を解除可能にするように制御する制御手段とを備えたことを特徴とする。
【手続補正１１】
【補正対象書類名】明細書
【補正対象項目名】００１２
【補正方法】変更
【補正の内容】
【００１２】
本発明によれば、複数の機器のうち所定数の機器が特定の期間に予約された状況であっても、この特定の期間に予約されている少なくとも１つの機器に対して、当該予約をしたユーザー以外のユーザーが予約を解除することができる。